(57)【要約】　　　（修正有）【課題】商談等で用いる見本帳を提供する。【解決手段】印刷により現物下地の絵柄を表現した紙基材の上に該現物下地の絵柄が見えるように半透明の仕上塗料を塗付した少なくとも一つ以上の見本紙２ａ〜２ｈと、少なくとも一つ以上の窓部を備えた型紙３とを重ね合わせ、該見本紙の絵柄が該型紙の窓部から見ることができるように設けられた見本帳１である。見本帳は、現物を忠実に再現し、製作作業が簡単で、かつ軽く薄いため持ち運びやすく、廃棄処理も容易であることを特徴とする。【選択図】図１
0003098678.tif 000002
【実用新案登録請求の範囲】
【請求項１】
印刷により現物下地の絵柄を表現した紙基材の上に該現物下地の絵柄が見えるように半透明の仕上塗料を塗付した少なくとも一つ以上の見本紙と、
少なくとも一つ以上の窓部を備えた型紙とを重ね合わせ、
該見本紙の絵柄が該型紙の窓部から見ることができるように設けられた見本帳。
【請求項２】
印刷により現物下地の絵柄を表現した紙基材の上に該現物下地の絵柄が見えるように半透明の下地調整塗料を塗付し、次いで該現物下地の絵柄が見えるように半透明の仕上塗料を塗付した少なくとも一つ以上の見本紙と、
少なくとも一つ以上の窓部を備えた型紙とを重ね合わせ、
該見本紙の絵柄が該型紙の窓部から見ることができるように設けられた見本帳。
【請求項３】
印刷によりコンクリート調の絵柄を表現した紙基材の上に該コンクリート調の絵柄が見えるように半透明の仕上塗料を塗付した少なくとも一つ以上の見本紙と、
少なくとも一つ以上の窓部を備えた型紙とを重ね合わせ、
該見本紙の絵柄が該型紙の窓部から見ることができるように設けられた見本帳。
【請求項４】
印刷によりコンクリート調の絵柄を表現した紙基材の上に該コンクリート調の絵柄が見えるように半透明の下地調整塗料を塗付し、次いで該コンクリート調の絵柄が見えるように半透明の仕上塗料を塗付した少なくとも一つ以上の見本紙と、
少なくとも一つ以上の窓部を備えた型紙とを重ね合わせ、
該見本紙の絵柄が該型紙の窓部から見ることができるように設けられた見本帳。
【請求項５】
下地調整塗料が、紫外線吸収能を有することを特徴とする請求項２または請求項４に記載の見本帳。
【請求項６】
仕上塗料が、紫外線吸収能を有することを特徴とする請求項１から請求項５のいずれかに記載の見本帳。
【考案の詳細な説明】
【０００１】
【考案の属する技術分野】
本考案は、商談等で用いる見本帳に関する。
【０００２】
【従来技術】
現在、建設業界等の商談等の際には、現物を一目でイメージしやすくするために、見本帳または該見本帳を複数枚綴じ合わせた見本帳ファイルが頻繁に用いられている。
見本帳ないし見本帳ファイルは、通常、現物の一部をそのまま台紙に貼り付けると共に、現物をより良く見せるために、窓部を設けた窓開き紙で現物を被覆し、窓部から現物の絵柄や地紋を見ることができるように構成されているもので、一目で現物をイメージできるものとして、商談の際や、デザインの決定時等に有効に活用される。（例えば、特許文献１等）
【０００３】
【考案が解決しようとする課題】
しかしながら、このような現状の見本帳ないし見本帳ファイルは、以下のような問題を抱えている。
１．見本帳の製作数量分の現物下地を一点一点全て調達しなければならず、さらに調達した現物下地の大きさや厚さ等を調整したり、見本帳にあわせて貼り並べたり、窓部を備えた型紙を重ね合わせたり、見本帳の製作に面倒な作業を必要とする。
２．実際、現物を貼着したものであるため、嵩張ると共に重量があり、取扱いや持ち運びに不適切である。
３．現物下地がスレート板、コンクリート、合板、織布、石板等の材料からなるために、廃棄処理が面倒な場合がある。
【０００４】
【特許文献１】特開２００１−３５０４１５号公報
【０００５】
【課題を解決するための手段】
本考案者らは、上記１．〜３．の問題を解決するために、鋭意研究を行った結果、印刷により現物下地を表現した紙基材の上に、半透明の仕上塗料を塗付することによって得られる見本帳が、現物をより忠実に再現し、製作作業が簡単で、かつ軽く薄いため持ち運びやすく、廃棄処理も容易であることを見出し、本考案の完成に至った。
【０００６】
すなわち、本考案は、以下の特徴を有するものである。
１．印刷により現物下地の絵柄を表現した紙基材の上に該現物下地の絵柄が見えるように半透明の仕上塗料を塗付した少なくとも一つ以上の見本紙と、
少なくとも一つ以上の窓部を備えた型紙とを重ね合わせ、
該見本紙の絵柄が該型紙の窓部から見ることができるように設けられた見本帳。
２．印刷により現物下地の絵柄を表現した紙基材の上に該現物下地の絵柄が見えるように半透明の下地調整塗料を塗付し、次いで該現物下地の絵柄が見えるように半透明の仕上塗料を塗付した少なくとも一つ以上の見本紙と、
少なくとも一つ以上の窓部を備えた型紙とを重ね合わせ、
該見本紙の絵柄が該型紙の窓部から見ることができるように設けられた見本帳。
３．印刷によりコンクリート調の絵柄を表現した紙基材の上に該コンクリート調の絵柄が見えるように半透明の仕上塗料を塗付した少なくとも一つ以上の見本紙と、
少なくとも一つ以上の窓部を備えた型紙とを重ね合わせ、
該見本紙の絵柄が該型紙の窓部から見ることができるように設けられた見本帳。
４．印刷によりコンクリート調の絵柄を表現した紙基材の上に該コンクリート調の絵柄が見えるように半透明の下地調整塗料を塗付し、次いで該コンクリート調の絵柄が見えるように半透明の仕上塗料を塗付した少なくとも一つ以上の見本紙と、
少なくとも一つ以上の窓部を備えた型紙とを重ね合わせ、
該見本紙の絵柄が該型紙の窓部から見ることができるように設けられた見本帳。
５．下地調整塗料が、紫外線吸収能を有することを特徴とする２．または４．に記載の見本帳。
６．仕上塗料が、紫外線吸収能を有することを特徴とする１．から５．のいずれかに記載の見本帳。
【０００７】
【考案の実施の形態】
以下、本考案を詳細に説明する。
【０００８】
本考案は、印刷により現物下地を表現した紙基材の上に半透明の仕上塗料を塗付した少なくとも一つ以上の見本紙と、少なくとも一つ以上の窓部を備えた型紙とを重ね合わせ、該見本紙の絵柄が該型紙の窓部から見ることができるように設けられた見本帳である。
【０００９】
本考案は、現物下地の絵柄（本考案では、凹凸感、艶、色調、量感、触感、質感等も含む）を活かすような塗装仕上を施す箇所に用いられる見本帳である。例えば、スレート板、コンクリート、合板、織布、石板等の現物下地に対して、半透明の仕上塗料を施し、現物下地の絵柄（例えば、コンクリート調、木質調、石材調等）を活かすような塗装仕上を施す場合に、本考案の見本帳が有効である。また、旧塗膜の絵柄を活かすような塗装仕上、下塗塗膜の絵柄を活かすような塗装仕上の場合にも適用できる。この場合、旧塗膜や下塗塗膜の絵柄を紙基材に印刷すればよい。
【００１０】
下地として現物そのものを用いた従来の見本帳では、製作数量分の現物を一点一点全て調達しなければならず、さらに調達した現物下地の大きさや厚さ等を調整する必要がある。また、現物下地として用いられているスレート板、コンクリート、合板、織布、石板等の材料は、廃棄処理が面倒な場合があり、環境上好ましいとはいえない。
さらに、現物下地は一点一点の絵柄にムラがあり、また材質も一点一点にもムラがあるため、現物下地の上に塗料を塗付した場合、塗装ムラや吸込みムラが発生する可能性が高い。したがって、見本帳として用いる場合、不適当な見本帳が作製される可能性が高く、不適当となったものについては廃棄するしかない、という問題もある。
【００１１】
本考案の見本帳は、紙基材を用いることにより、上述したような従来の問題点を解決したものであり、下記のような特徴を有するものである。
１．基材として、紙基材を用いるため、見本帳の製作を容易に行うことができ、材料や製作工程等においてコスト的に有利である。
２．基材が紙基材であるため、従来の見本帳と比べて、はるかに軽く、薄いため、持ち運びやすく、取り扱いやすい。
３．廃棄処理が容易であり、環境面においても優れている。
４．見本帳の保管にも場所を取らず、管理しやすい。
５．現物下地の絵柄を表現した紙基材の上に、実際の塗料を塗付するため、印刷のみにより仕上状態（凹凸感、艶、色調、量感、触感、質感等）を表現した見本帳や、コンピュータ等を用いて表現したものと比べて、より忠実に仕上状態を表現することができる。
６．紙基材に印刷しているため現物下地の絵柄を一定にすることができ、塗装ムラや吸込みムラが起こりにくく仕上状態を一定に保つことができる。
特に、現物下地がスレート板、コンクリート等のセメント系材料の場合、一点一点調達するのが困難であり、さらに調達した現物下地は重量が大きく、一点一点の絵柄、材質、表面状態等が異なり、上述した問題が起こりやすいため、本考案見本帳が有効である。
【００１２】
本考案を、図面を用いて以下に詳細に説明する。
【００１３】
図１は本考案の見本帳の一例を示す図、図２は図１の見本帳から窓部を備えた型紙を見開いた状態を示す図、図３は図１のＸ−Ｘ断面図、図４は印刷により現物下地を表した紙基材の一例を示す図、図５、図６は紙基材の上に仕上塗料を塗付した見本紙の一例を示す図、図７は紙基材の上に下地調整塗料、仕上塗料を塗付した見本紙の一例を示す図、図８は図５のＹ−Ｙ断面図、図９は図６のＺ−Ｚ断面図、図１０は図７のＷ−Ｗ断面図である。
【００１４】
例えば図１に示す見本帳１は、図２に示すように、８種の絵柄を示す見本紙（２ａ、２ｂ、２ｃ、２ｄ、２ｅ、２ｆ、２ｇ、２ｈ）を台紙４の上に貼り並べた見本紙に、８つの窓部を設けた型紙３をそれぞれの絵柄がみえるように、重ね合わせたものである。
本考案見本紙２の絵柄の種類は、１種のみでもよいが、２種以上設けるものでもよい。２種以上設ける場合は、台紙４の上に、それぞれの見本紙を接着剤やホッチキス等を用いて、貼り並べて用いればよい。本考案の見本紙２は、紙基材５と仕上塗料６で構成されており、非常に軽く、薄い。そのため、ごく一般に用いられている接着剤（のり等）でも簡単に貼ることができ、従来のような現物を貼り並べる作業に比べて、簡単に貼り並べることができる。
【００１５】
窓部を備えた型紙３は、それぞれの見本紙２の絵柄が窓部から見えるように、重ね合わせればよい。
重ね合わせ方法としては、特に限定されないが、例えば、図２に示すように、見本紙（２ａ、２ｂ、２ｃ、２ｄ、２ｅ、２ｆ、２ｇ、２ｈ）を貼り並べた台紙４と８つの窓部を設けた型紙３が、連結されており、それぞれの絵柄が見えるように型紙３を折り返して、重ね合わせる方法等が挙げられる。
【００１６】
このようにして作製した見本帳１は、簡便に作製することができ、図３に示すように、断面が非常に薄いため、持ち運びやすく、取り扱いやすくかつ廃棄処理も容易な見本帳である。なお、本考案の見本帳１は非常に薄いものであり、図３に示すバックアップ材８を必ずしも設ける必要はない。
【００１７】
ここで見本紙２について説明する。本考案の見本紙は図５〜図１０に示すように、印刷により現物下地を表現した紙基材５の上に、半透明の仕上塗料６を塗付したものである。
【００１８】
（紙基材）
紙基材５としては、図４に示すように、印刷により現物下地を表現したものである。印刷方法は特に限定されず、実際の下地に合わせて絵柄を選択し、公知の方法で印刷すればよい。本考案は、印刷によって仕上げ状態を表現するのではなく、実際の現物下地の絵柄を表現するものである。よって、現物下地の絵柄を一定にすることができ、材質のムラも少ないため、塗装ムラや吸込みムラが発生する可能性が極めて低く、色見本として、好適に用いることができる。例えば、実際の下地が、スレート板、コンクリート、合板、石板である場合は、コンクリート調、木質調、石材調等に印刷したものを用いる。
紙基材５としては、特に限定されないが、ボール紙等の剛性のある紙、コーティング紙等が挙げられる。
【００１９】
紙基材５の大きさは、後述する型紙３の窓部に合わせて設定すればよいが、通常、２ｃｍ〜１５ｃｍ四方に、収まるような大きさであればよい。紙基材５の形も、型紙３の窓部に合わせて設定すればよく、例えば、四角形、円形、多角形等が用いられる。本考案では、基材が紙であるため、紙基材５または紙基材５の上に仕上塗料６を塗付した見本紙２を、特殊な機器を用いなくても、一般に用いられるハサミやカッター等を用いて簡単に、種々の大きさに加工できる。
【００２０】
（半透明の仕上塗料）
半透明の仕上塗料６は、現物下地の絵柄を活かすことができる程度の隠蔽率であれば特に限定されないが、隠蔽率が好ましくは３〜９０％、さらに好ましくは３〜７０％、より好ましくは３〜５０％である。このような半透明の仕上塗料６を、紙基材５の上に実際に塗付することにより、凹凸感、艶、色調、量感、触感、質感等を現物の仕上状態により近づけることができ、見本帳としてイメージしやすくなる。
【００２１】
半透明の仕上塗料６としては、通常、実際に塗装する塗料を用いればよく、例えば、結合剤、溶剤を構成成分とする塗料等が挙げられる。
結合剤としては、例えば、アクリル樹脂、アクリルシリコン樹脂、シリコン樹脂、ウレタン樹脂、アルキッド樹脂、ポリエステル樹脂、エポキシ樹脂、フェノール樹脂、メラミン樹脂、アミノ樹脂等から選ばれる溶剤可溶型、溶剤分散型、水可溶型、水分散型のうち１種または２種以上を用いることができる。
溶剤としては、例えば、水や、公知の水溶性溶剤、脂肪族系溶剤、芳香族系溶剤等を用いることができる。
結合剤と溶剤の比率は、特に限定されず、実際に塗装する塗料と同様の比率にすればよいが、通常、結合剤の固形分１００重量部に対し、溶剤２０〜５００重量部（さらに好ましくは５０〜３００重量部）程度にすればよい。
【００２２】
さらに本考案の仕上塗料は、紫外線吸収能を有するものが好ましい。紫外線吸収能を有することにより、紙基材や紙基材上の絵柄、あるいは仕上塗料を紫外線から保護することができ、長期に亘り仕上状態を維持することができる。紫外線吸収能を付与する方法としては、公知の方法で行えばよいが、例えば、シアノアクリレート系紫外線吸収性モノマーやベンゾトリアゾール系紫外線吸収性モノマー等の紫外線吸収性モノマーを上記結合剤と共重合させる方法、ベンゾフェノン系紫外線吸収剤、ベンゾトリアゾール系紫外線吸収剤、サリチル酸系紫外線吸収剤、シアノアクリレート系紫外線吸収剤、トリアジン系紫外線吸収剤、蓚酸アニリド系紫外線吸収剤、アミノ安息香酸系紫外線吸収剤、ケイ皮酸系紫外線吸収剤、微粒酸化チタン、微粒酸化亜鉛等の紫外線吸収剤を仕上塗料に混合する方法等が挙げられる。紫外線吸収性モノマーの混合比率としては、特に限定されないが、結合剤を形成する全モノマー１００重量部に対し、０．１〜２０重量部程度であることが好ましい。紫外線吸収剤の混合比率としては、特に限定されないが、結合剤の固形分１００重量部に対し、０．１〜２０重量部であることが好ましい。
【００２３】
さらに、仕上塗料として、通常用いられる塗料構成成分を含有することもできる。塗料構成成分としては、例えば、顔料、骨材、可塑剤、防腐剤、防黴剤、消泡剤、増粘剤、レベリング剤、沈降防止剤、たれ防止剤、艶消し剤、酸化防止剤等が挙げられる。
このような半透明の仕上塗料を、前述した紙基材の上に塗装する方法としては、特に限定されないが、実際の塗装方法と同様の方法で行うことが好ましいが、例えば、刷毛、コテ、ローラー、スプレーガン等の塗装器具を用いて塗装すればよい。
塗付量としては、実際塗装する塗付量であることが好ましいが、通常０．１〜０．５ｋｇ／ｍ２程度であることが好ましい。
【００２４】
実際に、現物の上に仕上塗料を塗装した場合と、紙基材の上に塗装した場合では、凹凸感、艶、色調、量感、触感、質感等の仕上状態が少なからず異なる場合もある。
この原因は、多々考えられるが、例えば、下地の違いの他に、仕上塗料の塗装方法や塗装回数あるいは乾燥過程の違い、仕上塗料と異なる塗料を用いる場合、仕上塗料の塗装以外に別の塗料（例えば、下塗塗料、中塗塗料、トップコート等）を塗装する場合、仕上塗料等の塗料の一部が現物に吸収される場合、現物が濡れ色になる場合等の原因が考えられる。
したがって、実際の現物を、より忠実に表現するためには、仕上状態を何らかの方法で補正することが必要な場合がある。この補正の仕方として、仕上塗料の成分を調整し仕上状態の違いを補正する方法、仕上塗料を塗装した後に別の上塗塗料を塗装し仕上状態の違いを補正する方法、下地調整塗料（補正塗料）を塗装することにより、仕上状態の違いを補正する方法等が挙げられる。本考案では、特に、下地調整塗料を塗装することが好ましく、このような方法では、仕上塗料は実際のものと同様のものを用いながら、仕上状態を補正することができるため好ましい。
【００２５】
（下地調整塗料）
本考案の見本帳１は、前述した仕上塗料６を塗付することにより、現物の凹凸感、艶、色調、量感、触感、質感等の仕上状態を忠実に表現したものであるが、より忠実に表現するために、紙基材５の上に、半透明の下地調整塗料７を塗付することが好ましい（例えば図７、図１０）。下地調整塗料の隠蔽率としては、特に限定されないが、好ましくは３〜９０％、さらに好ましくは３〜７０％、より好ましくは３〜５０％である。
【００２６】
下地調整塗料７としては、前述した仕上塗料６と結合剤、溶剤を構成成分とする塗料等が挙げられる。
さらに仕上塗料と同様に、紫外線吸収能を有することが好ましい。その他に、顔料、骨材、可塑剤、防腐剤、防黴剤、消泡剤、増粘剤、レベリング剤、沈降防止剤、たれ防止剤、艶消し剤、酸化防止剤等の塗料構成成分を含有してもよい。塗装方法としては、特に限定されないが、例えば、刷毛、コテ、ローラー、スプレーガン等の塗装器具を用いて塗装する方法等が挙げられる。また、塗付量としては、通常、０．０５〜０．５ｋｇ／ｍ２程度であることが好ましい。
【００２７】
なお、本考案の仕上塗料、下地調整塗料の隠蔽率は、各塗料の乾燥膜厚が４０μｍとなるようにフィルムアプリケータで隠蔽率試験紙に塗り付け、温度２３℃、相対湿度５０％下にて４８時間乾燥させることによって作製した試験片を、黒地上塗膜と白地上塗膜の視感反射率を色彩色差計「ＣＲ−３００」（ミノルタ株式会社製）を用いて測定し、算出した値である。
【００２８】
本考案では、実際の塗装方法に合わせて、仕上塗料６や下地調整塗料７を１回または２回以上塗装して、より実際の塗装方法に近い方法で塗装し、より現物に近い仕上状態にすることができる。したがって、実際の仕上状態により近い見本帳を作製することが可能である。
【００２９】
【考案の効果】
本考案は、特に、建設業界において、商談等の際に用いられる見本帳または複数枚綴じ合わせた見本帳ファイルであり、特に現物下地の絵柄を活かす塗装を施す場合に有効なものである。本考案の見本帳は、簡単に作製することができ、現物をより忠実に再現しているため、実際の現場との色違いを未然に防ぐことができる。さらに、嵩張らないため、持ち運びやすく、取り扱いやすく、管理・整理用としても有効であり、廃棄処理も容易にできる。
【００３０】
【図面の簡単な説明】
【図１】本考案の見本帳の一例を示す図
【図２】図１の見本帳から窓部を備えた型紙を見開いた状態を示す図
【図３】図１のＸ−Ｘ断面図
【図４】印刷により現物下地を表した紙基材の一例を示す図
【図５】紙基材の上に仕上塗料を塗付した見本紙の一例を示す図
【図６】紙基材の上に仕上塗料を塗付した見本紙の一例を示す図
【図７】紙基材の上に下地調整塗料、仕上塗料を塗付した見本紙の一例を示す図
【図８】図５のＹ−Ｙ断面図
【図９】図６のＺ−Ｚ断面図
【図１０】図７のＷ−Ｗ断面図
【符号の説明】
１：見本帳
２、２ａ、２ｂ、２ｃ、２ｄ、２ｅ、２ｆ、２ｇ、２ｈ：見本紙
３：型紙
４：台紙
５：紙基材
６：仕上塗料
７：下地調整塗料
８：バックアップ材
【図１】
0003098678.tif 000003
【図２】
0003098678.tif 000004
【図３】
0003098678.tif 000005
【図４】
0003098678.tif 000006
【図５】
0003098678.tif 000007
【図６】
0003098678.tif 000008
【図７】
0003098678.tif 000009
【図８】
0003098678.tif 000010
【図９】
0003098678.tif 000011
【図１０】
0003098678.tif 000012